(57)【要約】  炭酸飲料を保存する飲料容器は、開口（１１）を含む容器本体（１０）と、開口（１１）を閉鎖する着脱式の閉鎖手段（１２）と、を備え、閉鎖手段は、開口（１１）に気密シールを提供する箔（２０）を備えている。容器内の圧力のために生じる力が箔（２０）に作用し、剥ぎ取ることによって箔（２０）を容器本体（１０）から分離するという傾向が、例えば、カラー（１２Ａ）を設けてその間の接合部の隣で箔（２０）の撓みを制限することによって、又は容器本体（１０）の縁部（１５）の形状によって、或いはその両方によって減少するような配置構成がこのましく、この結果、閉鎖手段が他の場合より高い内圧に耐えることが可能となる。
2008503406.tif 000002
【特許請求の範囲】
【請求項１】
開口を含む容器本体と前記開口を閉鎖する着脱式の閉鎖手段とを備える炭酸飲料保存用の飲料容器であって、前記閉鎖手段が前記開口に気密シールを提供する箔を含んでなることを特徴とする飲料容器。
【請求項２】
前記閉鎖手段が、前記箔に嵌るための着脱式のキャップを含んでなることを特徴とする請求項１に記載の飲料容器。
【請求項３】
前記箔が前記キャップに取り付けられ、前記キャップ及び箔を一緒に前記容器本体から外すことができることを特徴とする請求項２に記載の飲料容器。
【請求項４】
前記箔が前記キャップの少なくとも一部に接触した状態で保持されながら、前記箔を加熱して前記箔上のプラスチック層を溶融させることによって、前記箔が前記キャップに取り付けられていることを特徴とする請求項３に記載の飲料容器。
【請求項５】
前記箔が前記容器にも取り付けられ、前記容器への取付けが、前記容器内の所望の圧力レベルに耐えるほど十分に強力であるが、前記キャップへの取付けよりも弱く、これにより前記キャップを外すと、前記箔が前記容器から分離するが、前記キャップに取り付けられたままで前記キャップとともに外されることを特徴とする請求項４に記載の飲料容器。
【請求項６】
前記箔が前記容器に取り付けられず、前記キャップにより前記容器と接触した状態で保持されるか、或いは、前記キャップにより前記容器に押し付けられることによって、前記開口を密封していることを特徴とする請求項２又は３に記載の飲料容器。
【請求項７】
前記キャップが、前記容器内の圧力上昇によって歪み得る範囲を制限するか、前記箔と前記容器との間の接続部を強化するか、或いはその両方によって、前記箔に物理的支持を好ましく提供していることを特徴とする請求項１又は２に記載の飲料容器。
【請求項８】
前記キャップ及び／又は前記箔を完全に外す前に、前記容器内の圧力を発散できるように、通気手段が好ましく設けられていることを特徴とする請求項１〜７のいずれか一項に記載の飲料容器。
【請求項９】
前記箔が前記容器に取り付けられ、前記箔が前記容器から剥ぎ取られるにつれて制御された通気がなされることを特徴とする請求項８に記載の飲料容器。
【請求項１０】
前記箔が当該飲料容器の口の周囲で該容器のリップに固定されていることを特徴とする請求項１〜９のいずれか一項に記載の飲料容器。
【請求項１１】
前記箔が当該容器内で凹み、前記箔が該容器の口から隔置された位置で該容器の内面に固定されていることを特徴とする請求項１〜９のいずれか一項に記載の飲料容器。
【請求項１２】
開口を含む容器本体と前記開口を閉鎖する着脱式の閉鎖手段とを備える飲料容器であって、前記閉鎖手段が前記開口を密封する箔を備え、前記容器内の圧力のせいで前記箔に力が作用し、剥ぎ取ることによって前記箔が当該容器から分離するという傾向を減少させるか、或いはそれを抑制し、それによって前記閉鎖手段が他の場合より高い内圧に耐えることができるような配置構成となっていることを特徴とする飲料容器。
【請求項１３】
前記閉鎖手段が、前記箔の少なくとも一部の上に配置された保持構成要素を含んでなり、内圧によって歪み得る範囲を制限するか、前記箔と前記容器との間の接続部を強化するか、或いはその両方によって、前記箔に物理的支持を提供していることを特徴とする請求項１２に記載の飲料容器。
【請求項１４】
前記容器が前記開口の周囲に前記箔が接合されたリップを含み、前記容器内の圧力のせいで前記箔内に生じる力が、前記箔と前記リップとの間の接合部に（剥離力ではなくて）剪断力を支配的に与えるように前記リップが成形されていることを特徴とする請求項１２又は１３に記載の飲料容器。
【請求項１５】
前記リップが、前記開口の周囲に延在し、前記開口の軸線に対して外側に傾斜するほぼ平坦な区域を有するように成形され、前記箔が前記ほぼ平坦な区域に接合されていることを特徴とする請求項１４に記載の飲料容器。
【請求項１６】
前記ほぼ平坦な区域に対する垂線が、前記開口の軸線に対して角度αにあり、前記箔が最大限に撓むと、前記ほぼ平坦な表面に接合された箇所で前記箔に作用する力が前記表面にほぼ平行になり、前記箔と前記表面との間の接合部にほぼ剪断力のみを与えるように、前記角度αが、前記開口の半径（Ｒ）と当該容器内の圧力による前記箔の最大撓み（Ｄ）との関係で選択されることを特徴とする請求項１５に記載の飲料容器。
【請求項１７】
前記開口が２５ｍｍ〜３５ｍｍの範囲の半径（Ｒ）を有し、前記最大撓み（Ｄ）が５ｍｍ以下であることを特徴とする請求項１６に記載の飲料容器。
【請求項１８】
前記開口が２５ｍｍ〜３５ｍｍの範囲の半径（Ｒ）を有し、最大撓み（Ｄ）が５ｍｍ〜１０ｍｍの間であることを特徴とする請求項１６に記載の飲料容器。
【請求項１９】
前記箔が内圧のせいで撓み得る範囲を制限する強化部材で、前記箔が固定されているか、積層されていることを特徴とする請求項１〜１８のいずれか一項に記載の飲料容器。
【請求項２０】
当該容器が、湾曲した輪郭を有するリップ部分を備え、前記箔とリップとの間の接合部が、前記輪郭の湾曲の周囲に延在していることを特徴とする請求項１〜１９のいずれか一項に記載の飲料容器。
【請求項２１】
前記箔が前記リップの下側にも接合されていることを特徴とする請求項２０に記載の飲料容器。
【請求項２２】
前記箔が当該容器の外面に接合されていることを特徴とする請求項１〜２１のいずれか一項に記載の飲料容器。
【請求項２３】
消費者が操作する開封部材を有し、該開封部材を操作したせいで前記箔に作用する力の大部分が、前記箔を当該容器から分離して当該容器の開封を補助する傾向を有するように配向されるように、前記開封部材が配置されていることを特徴とする請求項１〜２２のいずれか一項に記載の飲料容器。
【請求項２４】
前記開封手段を当該容器から持ち上げることによって、前記開封手段が操作されることを特徴とする請求項２３に記載の飲料容器。
【請求項２５】
前記容器本体が、当該容器の口の近傍にはその外部にねじ又はねじ区画を有さず、これにより、前記容器本体から直接飲むことに適していることを特徴とする請求項１〜２４のいずれか一項に記載の飲料容器。
【発明の詳細な説明】
【技術分野】
【０００１】
本発明は飲料容器に関し、特に飲料を消費者に供給する容器に関する。本発明は、炭酸及び他の発泡性飲料の保存及び供給に特に有用性を有するが、他のタイプの飲料でも使用することができる。
【背景技術】
【０００２】
長年、飲料供給業者及び容器製造業者間には、特にビールなどの炭酸飲料に関して、消費者がグラス又は他の飲用容器から飲むのと同じ方法で快適に飲むことができる実際的な広口の飲料供給容器を提供したいとの要望があった。このような飲料容器は、飲料供給業者、容器製造業者及び消費者に対して同様に多大な利点を提供するにもかかわらず、これらの目的を満足するのに成功した飲料容器はまだ生産されていない。その結果、ビン及びリングプル缶が現在のところ、消費者にとって主な実際的飲料供給容器になっている。これは、広口容器に関連して克服すべき重大な技術的問題があるからであり、この問題に対する実際的解決策の考案に成功していない。本発明は、広口容器でもよい実際的な飲料容器の提供を目的とする（しかし、本発明は他のタイプの飲料容器にも適用可能である）。
【発明の開示】
【発明が解決しようとする課題】
【０００３】
本発明は、例えば炭酸又は他のガスを含む液体の保存、並びに／或いは、高温及び／又は衝撃荷重などによる容器内の圧力上昇に耐えることができる閉鎖手段を飲料容器に提供することを目指している。
【課題を解決するための手段】
【０００４】
本発明の第１の態様は、開口を含む容器本体と前記開口を閉鎖する着脱式の閉鎖手段とを備える炭酸飲料保存用飲料容器を提供し、この閉鎖手段は前記開口に気密シールを提供する箔を備えている。
【０００５】
本発明の第２態様は、開口を含む容器本体と前記開口を閉鎖する着脱式の閉鎖手段とを備える飲料容器を提供し、閉鎖手段は前記開口を密封する箔を備え、容器内の圧力の結果、箔に力が作用し、剥ぎ取ることによって箔が容器から分離されるという傾向を減少させるか、それを抑制し、それによって閉鎖手段が他の場合より高い内圧に耐えることができるような配置構成である。
【０００６】
幾つかの実施形態では、閉鎖手段は箔上に嵌る着脱式の保持構成要素又はキャップを備えている。
【０００７】
キャップを使用する場合、これは例えば容器内の圧力増加によって歪み得る程度を制限するか、箔と容器との接続を強化するか、或いはその両方によって、箔に物理的支持を提供することが好ましい。キャップは全体的に円形でよく、したがって開口の周囲で箔の周囲に載り、これにより箔を容器と接触した状態で保持することを補助する。場合によっては、これは内圧による箔の破裂を制限するのに十分な障害物を提供することもできるが、特に中心にて箔の撓みに対する障害を提供するが、箔を穿刺し且つ／或いはその無傷性を低下させるかもしれない外部物体との物理的接触による損傷から箔を保護するためにも、キャップは箔全体に延在することが好ましい。したがって、キャップは箔と容器との接続を強化し且つ／或いは保護し、箔の穿刺保護を提供する。
【０００８】
容器は、開口の周囲に箔が接合されたリップを有することが好ましく、リップは、容器内の圧力のせいで箔内に生じる力が、箔とリップとの間の接合部に（剥離力ではなくて）剪断力を支配的に与えるように成形されている。
【０００９】
リップは、開口の周囲に延在し、開口の軸線に対して外側に傾斜した全体的に平坦な区域を有するように成形され得、箔は前記全体的に平坦な区域に接合される。
【００１０】
好ましい配置構成では、全体的に平坦な区域に対する垂線が、開口の軸線に対して角度αにあり、この角度αは、箔が最大限に撓むと、前記全体的に平坦な表面に接合された箇所で箔に作用する力が、前記表面にほぼ平行になり、その間の接合部にほぼ剪断力のみを与えるように、開口の半径（Ｒ）と容器内の圧力による箔の最大撓み（Ｄ）との関係で選択される。
【００１１】
キャップは、ある範囲の材料から作成することができるが、ポリプロピレン（ＰＰ）又はポリエチレン（ＰＥ）などのプラスチック材料から形成されることが好ましく、射出成形によって形成され得る。キャップは、スナップ嵌め及び／又はこれを容器にしっかり保持する他の固定手段によって容器に取り外し可能な状態で固定されることが好ましい。例えば、容器からの取り外しを更に簡単にするために、キャップを解放する手段を設けてもよい。通気手段も設けて、キャップ及び／又は箔を完全に外す前に容器内の圧力を発散可能にすることも好ましい。箔を容器に取り付けると、箔が容器から剥ぎ取られるにつれ、制御された通気を提供することができる。
【００１２】
箔は、誘導加熱で開口の周囲において、容器に取り付けることもできる。容器への取付けは、容器内の所望の圧力レベルに耐えるほど十分に強力でありながら、キャップを外すと、箔が容器から分離するが、キャップに取り付けられたままで、それとともに外れるように、容器への取付けはキャップへの取付けよりも弱いことが好ましい。
【００１３】
別の配置構成では、箔は容器に取り付けられず、単にキャップによって容器と接触した状態で保持されるか、キャップによって容器に押し付けられることにより、その開口を密封することができる。
【００１４】
本明細書で箔に言及した場合、それは箔に強度を与える１つ又は複数の層、並びに、箔の上面及び／又は下面を別の物品に取り付ける１つ又は複数の層を備える不浸透性積層品を含む。このような箔は他の分野で広く使用されている。箔を誘導加熱で固定する場合、電気誘導層が必要である。これは通常は金属層であり、最も一般的にはアルミの層である。電気誘導層には通常、電気誘導層を加熱すると溶融して、箔をこれと接触状態で保持された物品に結合するポリエチレンなどの１つ又は複数のプラスチックコーティングを設ける。このような箔は、ガラスとプラスチックの物品両方に結合することができる。
【００１５】
箔は、例えば（炭酸飲料容器が高温に曝された場合に生じるような）１〜２バール以上の内圧に耐えることができる方法で容器に固定することが好ましい。箔は、ガスが出て行くのを防止する上に、ガスの進入からも容器を保護し、したがって飲料の汚染を防止し、気が抜けるのを防止する。このような箔があると、飲料容器は（容器に入れて販売されるビール及び他の炭酸飲料で通常必要とされるような）少なくとも９カ月の保存寿命を有することができる。
【００１６】
箔は、箔が無傷である場合は、製品が改竄されていない、以前に開封されていない、或いは、それ以外の方法で外部環境に曝露していないという保証を消費者に提供するという点で、改竄防止を提供することもできる。この機能は、キャップを透明な材料で形成すると、更に強化される。
【００１７】
箔は口の周囲で容器のリップに固定することが好ましいが、容器内で凹ませ、その内面に、例えば容器の口から隔置された位置、例えば容器のリップから５ｍｍ〜１０ｍｍ下に固定してもよい。これは、キャップが容器内に嵌り、その下端に箔が設けられている場合に適切であろう。容器がリップまで飲料で充填されていない場合は、飲料の上に残された空間を減少させるように、これによって箔を飲料の表面に近付けて位置決めすることもできる。容器内に凹んだ箔を外すと、飲料の表面が容器内で更に低いレベルになり、容器を箔のレベルで、又はこのレベルより上で把持することができるので、こぼれにくくすることもでき、したがって更に制御された方法で箔を剥ぎ取ることができる。
【００１８】
容器は通常、例えばポリエチレンテレフタレート（ＰＥＴ）などのプラスチック材料、又はガラスで形成される。容器は、ビン又は何らかの他の形状の形態で成形した例えばビールグラスなどの従来の飲料容器に似せて成形することが好ましい。
【００１９】
容器本体の開口は広口開口であることが好ましい。「広口開口」とは、（少なくとも最も広い意味で）人がグラス又は同様の飲料容器から飲むのと同じ方法で容器から飲むのに適切なサイズの開口を意味する。つまり、最も広い意味で、（広口開口を有する本発明の実施形態の）容器の広口開口は通常、容器を、（通常、快適な飲用容器と見なされていない従来の首の細いビン及びリングプル缶とは対照的に）容器内で供給される飲料を都合良く飲むことができる飲料容器として適切なものとする。実際には、この要件は、容器の広口開口の直径が通常、少なくとも４０ｍｍ、好ましくは４５ｍｍ、更に好ましくは少なくとも５０ｍｍである必要があるという意味である。また、過度に広い開口は通常、消費者が飲むのに困難であり、したがって広口開口は好ましくは１５０ｍｍ以内、更に好ましくは１００ｍｍ以内、特に８０ｍｍ以内の直径を有する。広口開口の特に好ましい直径範囲は５０ｍｍ〜８０ｍｍであり、特に好ましい直径の実施例は５３ｍｍ及び６３ｍｍを含む。
【００２０】
容器は、例えばビン式開口のように細口開口を有してもよい。このような開口は、例えば４０ｍｍ未満の直径を有してよい。従来通りの標準的なビンの口のサイズは２８ｍｍ及び３８ｍｍの直径を含み、開口は、このような直径を有してよい。
【００２１】
容器本体はその外面にねじ又はねじ区間を有さないことが好ましい。その結果、容器本体は消費者が容器本体から直に飲むのに快適であることが好ましい。
【００２２】
本明細書の冒頭で示したように、本明細書で説明する容器は、他のタイプの飲料に使用してもよいが、本発明は、炭酸飲料及び他の発泡飲料、例えば、ビール、サイダ、スパークリングワイン（シャンパンを含む）、他の泡立つアルコール飲料、及び非アルコール炭酸飲料、並びに、ソーダ水及び炭酸ガス入りソフトドリンクを含む発泡性飲料の保存及び供給に、或いは、容器内に高い圧力を生成することができる任意の他の液体の保存に特に適切である。
【００２３】
本発明の他の好ましい又は任意選択の特徴は、以下の説明から、並びに、本明細書に基づく請求の範囲から明白である。
【００２４】
また、本発明は、炭酸飲料を含む説明されたタイプの飲料容器の使用、並びに、このような容器を密封する方法に関する。
【００２５】
次に、本発明を単に例示により、添付図面を参照しながら更に説明する。
【発明を実施するための最良の形態】
【００２６】
図１〜図１０Ｂに示したように、広口容器を密封するために箔を独自に使用することができるが、これは箔を保護かつ／又は強化する閉鎖手段又はキャップとともに使用することが好ましい。多くの異なる種類のキャップを使用することができるが、これは様々な方法で容器に固定することができる。図１〜図３は、使用可能なキャップの第１の形態を示し、図４〜図５は第２の形態のキャップを示し、図６〜図７は第３の形態のキャップを示し、図８は第４の形態のキャップを示し、図９〜図１０は第５の形態のキャップを示す。
【００２７】
図１〜図３で図示した実施形態では、箔２０が図２Ａには図示されているが、他の図では明快さを優先し、省略されている。
【００２８】
図１は、上端に広口開口１１が形成された容器本体１０と、本体１０に固定される第１部品１２Ａ及び第１部品１２Ａに接続されるような構成である第２部品１２Ｂを備える蓋１２の形態としての閉鎖手段と、を備える飲料容器の上部分を示す（容器全体は図３に図示されている）。
【００２９】
図示の実施形態では、第１部品１２Ａは、その周囲から垂れ下がるスカート１４が形成された円板形の上部品１３を備える。本体１０は、広口開口１１の隣で半径方向に突出する縁部１５を有し、スカート１４は、突出縁部１５上に押下することができるような内径を有する。スカート１４の半径方向外面にはねじ山１６を設け、キャップの第２部品１２Ｂは、第１部品１２Ａのねじ山１６と係合するためにその内面にねじ山１７が形成された環状部材を備える。第２部品１２Ｂの外面には、ねじ係合した場合に使用者の手で第２部品１２Ｂを第１部品１２Ａに対して回転することによってそれにトルクを加えるのが容易になるように、例えばリブ１７Ａ及び溝１７Ｂなどを形成する。第２部品１２Ｂには任意選択で、例えば容器１０に入れた飲料に関して使用される商標などの宣伝材を担持するために、円板状部材１８を設ける。或いは、これはキャップの第１部品１２Ａの上部分１３の上面に設けてもよい。
【００３０】
スカート１２Ａの自由端には傾斜フランジ１８を設け、その機能については以下で説明する。
【００３１】
スカート１４及び半径方向突起１５は、キャップの第１部品１２Ａが容器上に緩くスナップ嵌めされるように成形される。つまり自身上に第１部品を保持するには十分であるが、手で引っ張り力を加えると取り外すことができる。使用時には、キャップの第２部品１２Ｂは通常、第１構成でその個々のねじを係合させることにより、第１部品１２Ａに接続される。次に、第１部品が半径方向突起１５上にパチンと嵌り、その下側に係合するように、第１部品１２Ａ及び第２部品１２Ｂを備えるキャップを容器に押し付ける。スカート１４及び半径方向突起１５の下側には、相互に係合可能な構成要素１９Ａ、１９Ｂも設けて、その間の回転運動を制限することが好ましい。
【００３２】
次に、第２部品１２Ｂを第１部品１２Ａへと更にねじ込み、傾斜フランジ１８を内側にバイアス付与する第２構成にする。これは、第１部品１２Ａを半径方向突起１５の下で更にしっかり固定して、スカート１４内に下向きの張力を生成し、これによりスカート１４の内面及び／又はキャップの第１部品１２Ａの上部分１３の下側が容器１０に押し付けられる。箔２０（図２Ａ参照）は、広口開口１１を覆うように、第１部品１２Ａの内面と容器１０との間に設けられる。
【００３３】
箔２０は、その片面又は両面にポリマ層が形成されたアルミ層を含んでなることが好ましい。箔２０を、例えば誘導加熱によって容器１０及び／又は第１部品１２Ａに溶着することができる。箔は、容器を開封すると第１部品１２Ａに取り付けられたままで、それとともに外れるように配置構成することが好ましい。図２Ｂには、第１部品１２Ａ及び第２部品１２Ｂが第２構成にある、つまり上述したように容器１０に対して固定した関係で第２部品１２Ｂが第１部品１２Ａを保持するキャップを示す。
【００３４】
容器を開封したい場合は、第２構成から出るように、第２部品１２Ｂを第１部品１２Ａから部分的にねじを緩める。したがって、第２部品１２Ｂはもはや容器と確実に係合した状態で保持されず、これにより（箔２０が容器に溶着されず、密封ガスケットとして使用されているだけの場合には）容器内の加圧されたガスが容器１０と箔２０との間で通気され得る。しかし、キャップの第１部品１２Ａは、突起１５の下でスカート１４が係合しているので、容器１０から吹き飛ばされない。場合によっては、例えばキャップを最初に上述したように本体１０へとスナップ留めした場合に形成されるような比較的緩い係合でよいか、或いは第２部品１２Ｂがまだ第１部品１２Ａに対して、フランジ１８を内側に撓め、突起１５の下のスカート１４の係合をきつくする位置にあってよい。
【００３５】
第１部品とのねじ係合及び／又はその底縁にあるフック状突起１７Ｃとスカート１４の下部分又はフランジ１８との係合によって、第２部品１２Ｂが吹き飛ぶことも防止される。
【００３６】
このようなガスの通気後、（第１部品１２Ａ及び第２部品１２Ｂが相互に接続した状態で）キャップは、第１部品１２Ａと突起１５との間の緩いスナップ嵌めを克服することにより、手で容器１０から引き離すことができる。必要に応じて、第２部品１２Ｂのねじを更に緩めて、容器からキャップを引き離す前にこの係合を緩めることができる。
【００３７】
第２部品１２Ｂは、第１部品１２Ａから引き離す前に、所望に応じて完全にねじを緩めて、第１部品１２Ａから切り離すことができるが、まだ相互に接続されていながら、一緒に引き離すように設計することが好ましい。実際、第２部品１２Ｂは、第１部品１２Ａに接続されたら、例えばその間のねじ山取付けに関連するラチェット手段によって、そこから切り離せないように設計してよい。
【００３８】
好ましい配置構成では、容器本体１０の口を密封するように、箔２０をそれに溶着する。この場合には、箔を容器から外し、又は剥がし始めると、通気が実行される。設計に応じて、これは第１部品１２Ａの係合が緩むか、キャップが外される、或いはその両方の場合に実行することができる。箔２０は、キャップを容器から外した場合に、そこから外れるように、例えば第１部品１２Ａの下側などのキャップに溶着することができる。したがって、箔２０と第１部品１２Ａとの間の溶着接続は、箔２０と容器１０との間の溶着接続より強力であることが好ましい。
【００３９】
箔２０は、広い口１１を覆うように円形であることが好ましい。所望に応じて、これは縁部１５の外側まで延在してもよい。箔を第１部品１２Ａに固定する場合、箔は環状形状でよく、例えば、その外周が容器に固定されて内周が第１部品１２Ａの下側に固定されるか、その下側が容器に固定されてその下側が第１部品１２Ａの下側に固定される。
【００４０】
図４及び図５に示す第２の実施形態は、容器本体２１、容器本体２１の口を覆う箔２２、及び、箔２２上で容器本体２１に取り付けられるキャップ２３を含んでなる。
【００４１】
容器本体はリップ２４及びリップ２４上に延在する箔２２を有する。キャップはスナップ嵌めされるプラスチックのキャップであることが好ましいが、リップ２４にかしめることが可能な金属キャップを使用してもよい。
【００４２】
キャップ２３は、容器本体２１のリップ２４上にスナップ嵌めされるように成形される。或いは、キャップ２３を容器本体２１上に締まり嵌めしてもよい。局所的な誘導加熱で箔２２の下側のプラスチック層を溶融してこれをリップ２４に溶着することによって、箔２２をリップ２４に固定することが好ましい。代替的又は追加的に、箔２２はリップ２４の縁部にかしめられる。必要に応じて、更に容器の外面にシールしてもよい。局所的加熱で箔の上側のプラスチック層を溶融してこれをキャップ２３の下側に溶着することによって、箔をキャップ２３に固定することもまた好ましい。
【００４３】
図示した実施形態では、キャップ２３にタブ２５を設けて、キャップの取り外しを補助している。図２で示すように、タブをキャップの周囲に接続し、脆弱化部分２６Ａ、２６Ｂをその各側に設けて、タブ２５を持ち上げた場合に破断する破線を設ける。箔２２もタブ２５とともに持ち上げられるように、箔２２をタブ２５の下側に接続することが好ましい。
【００４４】
タブ２５を持ち上げるとキャップの尖った区間２３Ａが旋回して容器に入り、箔２２を穿孔して、容器を通気するように、キャップにＶ字形のさらなる脆弱化区域２７Ａ、２７Ｂを設けてもよい。これは、アルミ缶に設けられた従来通りのリングプルの作用と同様であることが認識される。容器が通気されたら、タブ２５を使用してキャップ２３及び箔２２の残りの部分を容器から剥ぎ取る。
【００４５】
脆弱化部分２６Ａ、２６Ｂ、２７Ａ、２７Ｂは、例えばキャップ２３の上面及び／又は下面に切削又は成形した溝によって形成されたキャップ２３の薄い区域を備えてよい。
【００４６】
図示のタブ２５は相対的に細いが、例えばキャップの幅の大きめの部分に延在する比較的広いタブのような他の形態のタブであってもよい。脆弱化部分２６Ａ、２６Ｂは、例えば、これより大きい距離だけ、例えば、キャップ２３の直径の半分より大きい距離だけ隔置してもよい。
【００４７】
図６及び図７に示す飲料容器は、内ねじ山３０Ａが形成された容器３０と、上部分３４から垂れ下がった内腔シール３３の外面にねじ山３２Ａを有する一体キャップ３２と、を含んでなる。キャップの上部分３４は、容器のリップ３０Ｂの上に延在し、前記リップ３０Ｂの下に係合する改竄防止カラー３５を有する。
【００４８】
内腔シール３３が容器３０の内壁の密封リング３７と係合する箇所に箔３６を設ける。内腔シール３３の下縁及び／又は密封リング３７に、箔３６を接合することができる。これを、箔が元の位置にある時に実行してよいが、キャップを容器に接合する前にいずれかの構成要素に予め接合してもよい。
【００４９】
キャップ３２は、ねじ山３２Ａ、３０Ａによって容器に接続される。突起３２Ｂ、３０Ｃは、それぞれキャップ及び容器にも設けられて、止め部として作用し、これは所定のトルクが加えられるまでキャップ３２のねじが偶発的に緩むのを阻止する。キャップをねじ込むと、改竄防止帯が容器リップ３０Ｂ上にスナップ留めされる。
【００５０】
容器を開封するには、キャップ３２のねじを緩め、改竄防止帯３５をキャップ３２から分離する。キャップが上昇するにつれて箔３６も持ち上げられるので、密封リング３７から剥ぎ取られない。キャップ３２がねじ山３２Ａ、３０Ａの形態によって画定された通気位置へと移動するか、箔３６の剥ぎ取りによって制御された通気を提供する、或いはその両方を実行することができ、これによりキャップ３２の発射が防止される。箔は、キャップ３２とともに外されるように、内腔シール３３に取り付けたままであることが好ましい。
【００５１】
図８は本発明の第４の実施形態を示し、そこでは、箔を保護しかつ／又は強化する閉鎖手段又はキャップと関連して広口容器を密封するために箔が使用される。
【００５２】
図８Ａは、開口１１１が形成された容器１１０と、箔１１２、キャップ１１３及びカラー１１４を備えた閉鎖手段とを示している。
【００５３】
容器は、ビールグラスに類似するように成形され、その開口１１１の周囲にリップ１１０Ａを有する。箔は最上部分１１２Ａ及びスカート１１２Ｂを有する。キャップ１１３はその周囲に１つ又は複数のギャップ１１３Ａを含み、その外面にねじ状構成１１３Ｂを有し、好ましくは一体蝶番によって自身に取り付けられ、突起を担持する改竄防止クリップ１１３Ｃを有する。カラー１１４は、キャップのねじ状構成１１３Ｂと係合するために内面にあるねじ状構成１１４Ｂと、各クリップ及び突起１１３Ｃを受容する凹み及び穴１１４Ｃと、を備える。
【００５４】
図８Ｂで示すように、箔１１２はキャップ１１３によってリップ１１０Ａと接触した状態で保持される。キャップ１１３は、リップ１１０Ａの下にスナップ嵌めされ、内部に突出するフランジ１１３Ｄを有し、カラー１１４は、フランジ１１３Ｄをリップ１１０Ａから係合解除するように、これを囲むことによってキャップ１１３を容器１１０に固定する。カラー１１４は、その個々のねじ状構成１１３Ｂ、１１４Ｂによってキャップ１１３に固定される。
【００５５】
閉鎖手段を外すには、カラー１１４をキャップ１１３から「ねじで緩め」、閉鎖手段を外す。これで、キャップ１１３を容器１１０からこじ開けることができ、ギャップ１１３によってリップ１１０Ａからのフランジ１１３Ｄの係合解除が更に容易になる。というのは、これが容器１１０から持ち上げられると、キャップ１１３の周囲を拡大することができるからである。キャップ１１３Ｂのねじ状構成１１３Ｂは、キャップ１１３の剥ぎ取りに役立つように持ち上げることができるリップを提供する。
【００５６】
閉位置で、各フラップ１１３Ｃは上へ折り曲げられて、カラー１１４と係合し、好ましくはそれに溶着され、これによりカラー１１４を捻ってこれを外すと、フラップ１１３Ｃがそれに取り付けられたまま、一体蝶番の線に沿ってキャップ１１３を引きちぎり、視覚的な改竄防止を提供する。
【００５７】
図９Ｃは、閉鎖手段が箔１５０及びカラー１５１を備える第５の実施形態の縦断面図を示し、図９Ａ及び図９Ｂは、カラー１５１の斜視図及び平面図を示す。
【００５８】
カラーは、自身内にギャップが形成された第１部品１５１Ａと、第１部品１５１Ａと接続して第１部品１５１Ａの両端を接合することができる第２部品１５１Ｂと、を含んでなる。第２部品１５１Ｂは第１部品１５１Ａの一方端に引っ掛かり、オーバセンタ機構１５１Ｃを有し、したがって閉位置へと動作するとこの位置に留まり、カラー１５１に張力を加えて、これを容器１５２及び箔１５０の周囲に更に確実に締め付けるようにする。図９Ｃで示すように、カラー１５１は容器１５２のリップ１５２Ａの下に係合するように成形され、カラーが締め付けられると、箔５０を更にきつく把持するように配置される。
【００５９】
部品１５１Ｂにはタブ１５１Ｄが設けられ、これはカラー１５１を外して容器を開封したい場合に、従来のリングプルと同様に持ち上げて、１つ又は複数の弱い点１５１Ｅにてカラーを破損することができる。この動作は、箔１５０も穿孔することができる。
【００６０】
箔が容器に接合される以上の配置構成では、その間の接合は、剪断力、つまり接合の面に対する力を受けた場合には強力であるが、剥離力、つまり接合の面から外れて、容器から箔を分離する傾向がある力を受けた場合には弱い。
【００６１】
本発明の第２の態様は、剥離力を接合部に加えることから内圧によって生じる力を減少させるか、阻止する配置構成にて、容器内の圧力の結果として箔に作用する力に耐える接合の能力を改善又は最適化することができるという認識から生じる。
【００６２】
容器内の圧力が上昇すると、箔が外側に曲がるか撓む傾向がある。従来の配置構成では、これは箔内の力が容器との接合部に加えられる角度を変化させ、したがってこれに剥離力を加える傾向があり、それによって内圧の増加が比較的小さくても、箔が容器から分離し始める。
【００６３】
上述した実施形態では、箔に物理的支持を提供するキャップ又はカラーなどの構成要素を設けると、この傾向は減少する。キャップ又はカラーは、内圧によって箔が撓み得る範囲を制限し、これにより箔によって接合部に加えられる力の角度変化を制限する。代替的又は追加的に、キャップ又はカラーは、箔を容器に接合する区域の真上に位置決めされることによって箔と容器との間の接続を強化することができ、それによって、箔が容器から離れるのを阻止するか、（接合部から離れた箔の区域が有意に撓んでも）接合部の区域にある箔が有意の範囲まで撓むのを防止するか、或いはその両方を実行し、これにより箔が接合区域に剥離力を加える傾向を低下させる。容器を囲むカラーも、箔をリップ及び／又は容器の外面に当てて保持することを補助する。
【００６４】
上述したように、例えば図５、図８Ｂ及び図９Ｃで示すように、容器はリップを有し、その外部分は湾曲した輪郭を有し、箔はこの湾曲した輪郭の周囲に延在して、それに接合されることが好ましい。したがって、容器に接合された箔の面積は、リップの最上部分に狭い接合区域しか有さない配置構成と比較すると増加している。箔は、リップの下にも延在してよく、リップの下側に接合してよい。また、箔はリップを越えて延在し、容器の外面に接合してよい。
【００６５】
図１０Ａ及び図１０Ｂは、内圧による剥離力を減少させるさらなる方法を示す。これらの配置構成では、容器のリップは、内圧により箔が撓む場合に生じる剥離力を防止するか、最小限に抑えるように成形されている。
【００６６】
図１０Ａは、（例えば広口容器で使用するような）例えば３０ｍｍの半径Ｒの開口を有する容器１６０の略断面図を示す。箔１６１は容器のリップ１６２に接合される。箔は、容器１６０内の内圧Ｐのせいで、（約１５０〜２００ｐｓｉの圧力Ｐでアルミ箔に生じるように）箔の中心にて例えば８ｍｍの最大撓みＤで弓なりになって図示されている。
【００６７】
リップ１６２は、容器１６０の口の軸線Ｘ−Ｘに対して外側に傾斜したほぼ平坦な区域１６２Ａを有するように成形される。図示の断面図では、平坦な区域１６０Ａに対して垂直な線Ｎが、軸線Ｘ−Ｘに対して角度αにある。角度αは、半径Ｒを有する容器及び最大撓みＤを有する箔の幾何学的形状によって演繹することができる。Ｒ＝３０ｍｍ及びＤ＝８ｍｍの場合、角度αは約３０°である。
【００６８】
平坦な区域１６２Ａは、言うまでもなく容器のリップの周囲に３６０°延在し、したがって軸線Ｘ−Ｘを中心とする芯の表面の一部であり、箔１６１の弓なり部分が球面の一部であるような配置構成であり、円錐面はこれにほぼ正接する。したがって、図１０Ａで示すように、内圧Ｐによる箔内の力Ｆは、平坦な表面１６２Ａにほぼ平行に与えられ、したがって箔１６１と表面１６２Ａとの間の接合部に剪断力のみを与える。
【００６９】
箔が最大Ｄより小さい距離だけ撓むと、これは比較的小さい角度で接合部に力を与え、力は表面１６０Ａに平行な第１成分及び下方向に作用する、つまり箔を表面１６０Ａと接触した状態で保持する第２成分を有する。これは、箔１６１が最大撓みＤより大きく撓むべき場合に、箔１６１によって接合部に与えられる力が上方向の成分（箔を表面１６０Ａから剥ぎ取る傾向がある）のみを有するような配置構成であることが好ましい。このような状況は、箔１６１の性質又は設計によって、並びに／或いは、圧力Ｐがこれを達成するために必要なレベルに到達するのを防止する通気手段を設けることによって防止することができる。
【００７０】
或いは、箔１６１は、圧力Ｐが例えば５０ｐｓｉなどの特定の閾値に到達すると最大撓みＤを超えて、圧力Ｐを軽減するために意図的に通気を開始し、これによって、容器又はクロージャの破局的故障を回避するように設計することができる。
【００７１】
図１０Ａで示すように、リップ１６２の外部分１６２Ｂは湾曲した輪郭を有し、箔１６１とリップ１６２との間の接合部はこの湾曲した輪郭の周囲に延在することが好ましい。
【００７２】
また図示のように、箔の少なくとも一部１６１Ａはリップ１６２上に張り出すことが好ましい。したがって、箔のこの部分１６１Ａは、容器１６０を開封したい場合に（図１０Ｂの点線で示すように）箔１６１をリップ１６２から持ち上げるために把持できる開封部材を形成することができる。箔の部分１６１Ａを持ち上げるために例えば使用者の指などによって加えられる力は、箔１６１とリップ１６２との間の接合部に（剪断力ではなく）剥離力を主に与え、これにより比較的容易に箔１６１が容器１６０から外れる。
【００７３】
したがって、図示した配置構成では、接合部が容器１６０内の圧力に耐えるために剪断力に対しては強力であるが、剥離力には弱いことを利用して、使用者が容器１６０を開封するのを補助する点で優れている。
【００７４】
図１０Ｂで示す配置構成は図１０Ａで示したものと同様であるが、箔はこれより小さい最大撓みＤ、例えば５ｍｍを有するように設計される。したがって、６０ｍｍの半径Ｒ及び５ｍｍの最大撓みＤを有する容器の場合、角度αは約１５°である。
【００７５】
以上の配置構成は、内圧によって箔と容器との間の接合部に加えられる剥離力を最小限に抑えようとしているが、場合によっては、このような剥離力を解消するのではなく、減少させるだけで十分なことがある。箔が接合部の面に対して角度θで力Ｆを加えると、これはＦ・ｃｏｓθの剪断成分及びＦ・ｓｉｎθの剥離成分を含む。知られている配置構成では、θは４５°以上でよく、したがって剥離力成分が剪断成分を上回る。場合によっては、剥離力成分が剪断力成分より小さくなるように、θを４５°未満に減少させるだけで十分である（しかし、角度θを最小限にすることが好ましい）。
【００７６】
上述したような平坦な表面１６２Ａではなく、下側に湾曲した表面を使用してもよいことが認識される。接合表面の半径方向内側の部分（しかし必ずしも接合部の最内部分ではない）は、最大撓みＤで箔によって加えられる剥離力が、それに加えられる剪断力より小さく（好ましくは可能な限り小さく）なるように配向しなければならない。しかし、接合された区域の半径方向外側の部分は、例えば図１０Ａ及び図１０Ｂで示すように下方向に湾曲してよい。したがって、平坦な区域１６２Ａの幅は、力Ｆが接合した区域の内側部分に向かう点においてリップの湾曲輪郭に対して正接したままである限り、実際にゼロまで減少させることができる。
【００７７】
以上に加えて、任意の内圧で撓む量を減少させるように、箔を構築することができる。これは、例えば積層箔の材料を適切に選択することによって達成することができる。特に、積層品の１つの層が、垂直方向と比較してある方向で可撓性又は伸張性が高い場合は、交差した積層品を使用してもよい。例えば、２つのこのような層が異なる方向（好ましくは相互に対して直角）に配向される場合である。
【図面の簡単な説明】
【００７８】
【図１】本発明による飲料容器の第１の実施形態を示す部分組立分解図である。
【図２Ａ】図１と同様の図で、組立前の閉鎖手段を示す部分断面図である。
【図２Ｂ】図１と同様の図で、密封構成の閉鎖手段を示す部分断面図である。
【図２Ｃ】図１と同様の図で、通気構成の閉鎖手段を示す部分断面図である。
【図３】一方は閉鎖手段が所定の位置にあり、他方は閉鎖手段を外した状態で、図１に示した飲料容器の２つの斜視図である。
【図４】本発明による飲料容器の第２の実施形態を示す斜視図である。
【図５】図４で示した容器の断面図である。
【図６】容器と接続する準備が整ったキャップを示す本発明に係る飲料容器の第３の実施形態を示す断面図である。
【図７】容器に接続された場合のキャップを示す対応した図である。
【図８Ａ】本発明に係る飲料容器のさらなる実施形態を示す組立分解斜視図である。
【図８Ｂ】組み立てられた図８Ａの飲料容器の一部を示す縦断面図である。
【図９Ａ】本発明の第５の実施形態で使用するカラーを示す組立分解斜視図である。
【図９Ｂ】図９Ａのカラーの機能を示す図である。
【図９Ｃ】図９Ａのカラーの機能を示す図である。
【図１０Ａ】剥離力を減少させるさらなる方法を示す本発明のさらなる実施形態を示す略断面図である。
【図１０Ｂ】剥離力を減少させるさらなる方法を示す本発明のさらなる実施形態を示す略断面図である。
【符号の説明】
【００７９】
１０  容器本体
１１  広口開口
１２  蓋
１２Ａ  第１部品
１２Ｂ  第２部品
１３  上部分
１４  スカート
１５  突起
１６  ねじ山
１７  ねじ山
１７Ａ  リブ
１７Ｂ  溝
１７Ｃ  フック状突起
１８  フランジ
１９Ａ  相互に係合可能な構成要素
１９Ｂ  相互に係合可能な構成要素
２０  箔
２１  容器本体
２２  箔
２３  キャップ
２３Ａ  尖った区間
２４  リップ
２５  タブ
２６Ａ  脆弱化部分
２６Ｂ  脆弱化部分
２７Ａ  脆弱化区域
２７Ｂ  脆弱化区域
３０  容器
３０Ａ  内ねじ山
３０Ｂ  リップ
３２  一体キャップ
３２Ａ  ねじ山
３２Ｂ  突起
３２Ｃ  突起
３３  内腔シール
３４  上部分
３５  改竄防止帯
３６  箔
３７  密封シール
１１０  容器
１１０Ａ  リップ
１１１  開口
１１２  箔
１１２Ａ  最上部分
１１２Ｂ  スカート
１１３  キャップ
１１３Ａ  ギャップ
１１３Ｂ  ねじ状構成
１１３Ｃ  改竄防止クリップ
１１３Ｄ  フランジ
１１４  カラー
１１４Ｂ  ねじ状構成
１１４Ｃ  穴
１５０  箔
１５１  カラー
１５１Ａ  第１部品
１５１Ｂ  第２部品
１５１Ｃ  オーバセンタ機構
１５１Ｄ  タブ
１５１Ｅ  弱い点
１５２  容器
１５２Ａ  リップ
１６０  容器
１６０Ａ  平坦な区域
１６１  箔
１６２  リップ
１６２Ａ  平坦な表面
１６２Ｂ  外部分
【図１】
2008503406.tif 000003
【図２Ａ】
2008503406.tif 000004
【図２Ｂ】
2008503406.tif 000005
【図２Ｃ】
2008503406.tif 000006
【図３】
2008503406.tif 000007
【図４】
2008503406.tif 000008
【図５】
2008503406.tif 000009
【図６】
2008503406.tif 000010
【図７】
2008503406.tif 000011
【図８Ａ】
2008503406.tif 000012
【図８Ｂ】
2008503406.tif 000013
【図９Ａ】
2008503406.tif 000014
【図９Ｂ】
2008503406.tif 000015
【図９Ｃ】
2008503406.tif 000016
【図１０Ａ】
2008503406.tif 000017
【図１０Ｂ】
2008503406.tif 000018
【国際調査報告】
2008503406.tif 000019
2008503406.tif 000020
2008503406.tif 000021